(57)【特許請求の範囲】
【請求項１】
底部と、
紙葉類を載置するための紙葉類載置台と、
前記底部と前記紙葉類載置台との間に配置され、前記紙葉類載置台を上方に向かって付勢するための弾性部材と、
前記紙葉類載置台に載置される紙葉類を、前記紙葉類載置台とともに挟持するための挟持部材と、
前記紙葉類載置台の上面から突出するように設けられており、かつ、前記紙葉類載置台に紙葉類を載置したときに最下端にある紙葉類の下面と、前記紙葉類載置台の上面とに空間が確保されるように設けられている流路規制部材と、
前記紙葉類載置台の前記流路規制部材上に紙葉類を載置したときに、最上端の紙葉類の表面が位置する高さと略同一の高さ付近に外部からエアーを流入させるための孔が設けられている側壁部と、
を備える紙葉類収納容器。
【請求項２】
底部と、
紙葉類を載置するための紙葉類載置台と、
前記底部と前記紙葉類載置台との間に配置され、前記紙葉類載置台を上方に向かって付勢するための弾性部材と、
前記紙葉類載置台に載置される紙葉類を、前記紙葉類載置台とともに挟持するための挟持部材と、
前記紙葉類載置台の上面から突出するように設けられており、かつ、前記紙葉類載置台に紙葉類を載置したときに最下端にある紙葉類の下面と、前記紙葉類載置台の上面とに空間が確保されるように設けられている流路規制部材と、
前記紙葉類載置台の前記流路規制部材上に紙葉類を載置したときに、最上端の紙葉類の表面が位置する高さよりも低い位置に外部からエアーを流入させるための孔が設けられている側壁部と、
を備える紙葉類収納容器。
【請求項３】
前記流路規制部材は、前記紙葉類載置台に設けられており、前記紙葉類載置台上を流れるエアーの流量であって、前記紙葉類載置台上の中央付近のエアーの流量が、前記紙葉類載置台上の中央付近以外のエアーの流量よりも多くなるような位置に設けられている、
請求項１または２に記載の紙葉類収納容器。
【請求項４】
前記挟持部材は、
前記側壁部の上端付近において、前記側壁部の内壁に沿った回転軸周りを回動自在に設置されているとともに、回動をロックするロック機構を備え、
前記挟持部材は、
前記ロック機構により回動がロックされている場合、前記紙葉類載置台に載置される紙葉類を、前記紙葉類載置台とともに挟持し、
前記ロック機構により回動がロックされていない場合、前記挟持部材を回動させて、外部から紙葉類を紙葉類収納容器の内部に挿入することを可能とする、
請求項１から３のいずれかに記載の紙葉類収納容器。
【発明の詳細な説明】
【技術分野】
【０００１】
本発明は、紙葉類を収納する容器についての技術に関する。
【背景技術】
【０００２】
例えば、カジノのゲーム機等に脱着可能に装着されるキャッシュボックスに収納された紙幣を回収し、キャッシュボックスごとの売上金額と、実際にキャッシュボックスから回収された紙幣の合計金額とが一致しているか否かを確認するための紙幣処理システムが開発されている。
【０００３】
紙幣処理システムにおいて、キャッシュボックスから回収された紙幣束ごとに紙幣計数処理を行っていては連続的に紙幣計数処理ができず効率が悪い。これに対処するため、紙幣処理システムでは、複数のキャッシュボックスから回収された紙幣束（例えば、図２４の紙幣束Ｂｉｌｌｓ（ＣＢ１）〜Ｂｉｌｌｓ（ＣＢＮ）、Ｎ：自然数、ＣＢｋ：ｋ番目（１≦ｋ≦Ｎ）のキャッシュボックス、紙幣束Ｂｉｌｌｓ（ＣＢｋ）：ｋ番目のキャッシュボックスから回収された紙幣束）をまとめて（積み重ねて）バッチ（紙幣束群）（例えば、図２４のバッチＢａｔｃｈ１〜ＢａｔｃｈＮ）を作成し、さらに、複数のバッチをまとめてバッチ群（例えば、図２４のバッチ群Ｂａｔｃｈ＿Ｇ１）を作成し、当該バッチ群を自動紙幣計数機（ソーター）にかけて、紙幣計数処理を行う。これにより、紙幣処理システムでは、自動紙幣計数機（ソーター）を停止させることなく、連続的に紙幣計数処理を行うことができるため、効率良く紙幣の計数処理ができる。このとき、自動紙幣計数機（ソーター）が、キャッシュボックスごとに収納されていた紙幣の合計金額を取得できるように、各キャッシュボックスから取り出した紙幣束にセパレータカード（例えば、図２４のセパレータカードＳｅｐ＿ｃａｒｄ１〜Ｓｅｐ＿ｃａｒｄＮ）を挿入してバッチ（紙幣束群）（例えば、図２４のバッチＢａｔｃｈ１〜ＢａｔｃｈＮ）が生成される（例えば、特許文献１を参照）。セパレータカードには、例えば、バーコードが印字されており、自動紙幣計数機（ソーター）が当該バーコードを読み取ることで、セパレータカードを特定できるようになっている。紙幣処理システムは、例えば、キャッシュボックスごとに付与されたタグ（例えば、ＲＦタグ）の情報を読み取ることで、キャッシュボックスを特定し、当該キャッシュボックスから取り出した紙幣束に挿入したセパレータカードを特定する情報（例えば、セパレータカードの表面に印字されているバーコードにより特定される情報）を取得し、キャッシュボックスを特定する情報とセパレータカードを特定する情報とを紐付けたデータを生成する。そして、紙幣処理システムでは、自動紙幣計数機（ソーター）が、上記のキャッシュボックスを特定する情報とセパレータカードを特定する情報とを紐付けたデータから、セパレータカードで仕切られた紙幣束が、当該セパレータカードに紐付けられたキャッシュボックスから回収された紙幣束であると認識できるとともに、当該キャッシュボックスから回収された金額の合計を取得することができる。
【０００４】
このように、紙幣処理システムでは、セパレータカードを用いることで、連続的な紙幣計数処理を実現できるとともに、各キャッシュボックスから回収された紙幣束の合計金額を取得することができる。
【先行技術文献】
【特許文献】
【０００５】
【特許文献１】特開２００１−６７５２２号公報
【発明の概要】
【発明が解決しようとする課題】
【０００６】
紙幣処理システムでは、上記処理を行うため、セパレータカードを１枚ずつキャッシュボックスから回収した紙幣束に挿入する処理が必要となる。これを実現するために、例えば、複数のセパレータカードを収納した容器から、１枚ずつセパレータを取り出し、取り出したセパレータカードをキャッシュボックスから回収した紙幣束に挿入する（例えば、セパレータカードをキャッシュボックスから回収した紙幣束の上に載置する）ことが考えられる。つまり、複数のセパレータカードを収納した容器から、１枚ずつセパレータカードを取り出す紙葉類送出装置を用いることが考えられる。
【０００７】
しかしながら、このような紙葉類送出装置は、複数のセパレータカードを収納した容器から、１枚ずつセパレータカードを取り出すために、複雑な送出機構（例えば、紙葉類を１枚ずつ取り出すための送出機構）が必要となり、さらに、送出されたセパレータカードが重複していないかを検出するセンサ等も必要となる。このため、上記のような紙葉類送出装置を用いて、複数のセパレータカードを収納した容器から、１枚ずつセパレータを取り出し、取り出したセパレータカードをキャッシュボックスから回収した紙幣束に挿入するとコストが高くなる。
【０００８】
また、人手により、複数のセパレータカードを収納した容器から、１枚ずつセパレータを取り出し、取り出したセパレータカードをキャッシュボックスから回収した紙幣束に挿入することも考えられるが、この場合も人件費が必要となり、コストが高くなる。
【０００９】
このため、簡単な機構により、紙葉類（例えば、セパレータカード）を１枚ずつ確実に取り出すことができる技術が求められている。
【００１０】
そこで、本発明は、上記課題に鑑み、簡単な機構により、紙葉類（例えば、セパレータカード）を１枚ずつ精度良く取り出すことができる紙葉類収納容器を実現することを目的とする。
【課題を解決するための手段】
【００１１】
上記課題を解決するために、第１の発明は、底部と、紙葉類を載置するための紙葉類載置台と、弾性部材と、挟持部材と、側壁部と、を備える紙葉類収納容器である。
【００１２】
弾性部材は、底部と紙葉類載置台との間に配置され、紙葉類載置台を上方に向かって付勢するための部材である。
【００１３】
挟持部材は、紙葉類載置台に載置される紙葉類を、紙葉類載置台とともに挟持するための部材である。
【００１４】
側壁部には、紙葉類載置台に紙葉類を載置したときに、最上端の紙葉類の表面が位置する高さと略同一の高さ付近に外部からエアーを流入させるための孔が設けられている。
【００１５】
この紙葉類収納容器では、紙葉類載置台に載置された紙葉類群の最上部の紙葉類の位置（高さ）が、エアーを流入させる孔と略同一の位置（高さ）となるように、紙葉類載置台を弾性部材により上方に付勢しつつ、紙葉類載置台と挟持部材とにより、紙葉類群を挟持する。そして、この状態において、この紙葉類収納容器では、エアーを横（水平方向）から、紙葉類載置台３に載置された紙葉類群の最上部の紙葉類に吹き付けることで、最上部の紙葉類を、その中央付近が持ち上がった状態とすることができ、また、最上部付近の紙葉類間をエアーで分離する（隙間を作る）ことができる。そして、この状態で、例えば、最上部の紙葉類の中央付近を吸着して、当該紙葉類を上方に持ち上げることで、容易かつ確実に、最上部の紙葉類を紙葉類収納容器１００から取り出すことができる。
【００１６】
したがって、この紙葉類収納容器では、簡単な機構により、紙葉類（例えば、セパレータカード）を１枚ずつ精度良く取り出すことができる。
【００１７】
第２の発明は、底部と、紙葉類を載置するための紙葉類載置台と、弾性部材と、挟持部材と、側壁部と、を備える紙葉類収納容器である。
【００１８】
弾性部材は、底部と紙葉類載置台との間に配置され、紙葉類載置台を上方に向かって付勢するための部材である。
【００１９】
挟持部材は、紙葉類載置台に載置される紙葉類を、紙葉類載置台とともに挟持するための部材である。
【００２０】
側壁部には、紙葉類載置台に紙葉類を載置したときに、最上端の紙葉類の表面が位置する高さよりも低い位置に外部からエアーを流入させるための孔が設けられている。
【００２１】
この紙葉類収納容器では、エアーを流入させる孔が、紙葉類載置台に載置された紙葉類群の最上部の紙葉類の位置（高さ）よりも低い位置となるように、紙葉類載置台を弾性部材により上方に付勢しつつ、紙葉類載置台と挟持部材とにより、紙葉類群を挟持する。そして、この状態において、この紙葉類収納容器では、エアーを最上部の紙葉類の下から、紙葉類載置台３に載置された紙葉類群の最上部の紙葉類に吹き付けることで、最上部の紙葉類を、その中央付近が持ち上がった状態とすることができ、また、最上部付近の紙葉類間をエアーで分離する（隙間を作る）ことができる。そして、この状態で、例えば、最上部の紙葉類の中央付近を吸着して、当該紙葉類を上方に持ち上げることで、容易かつ確実に、最上部の紙葉類を紙葉類収納容器１００から取り出すことができる。
【００２２】
したがって、この紙葉類収納容器では、簡単な機構により、紙葉類（例えば、セパレータカード）を１枚ずつ精度良く取り出すことができる。
【００２３】
第３の発明は、第１または第２の発明であって、エアーの流路を規制するための流路規制部材をさらに備える。
【００２４】
これにより、この紙葉類収納容器では、エアーの流路を規制することができ、その結果、紙葉類載置台に載置された紙葉類群の最上部の紙葉類をより効率良く持ち上がった状態にすることができる。特に、紙葉類載置台に載置されている紙葉類が残り１枚〜数枚になったとき、紙葉類収納容器の内部に流入されるエアーは、その流量が流路規制部材により、紙葉類載置台に載置されている残り１枚〜数枚の紙葉類の下面の中央付近で多くなる。このため、紙葉類載置台に載置されている残り１枚〜数枚の紙葉類の中央付近が持ち上がった状態となる。したがって、この紙葉類収納容器では、紙葉類載置台に載置されている紙葉類が残り１枚〜数枚になったときでも、１枚ずつ確実に紙葉類を取り出すことができる。
【００２５】
第４の発明は、第３の発明であって、流路規制部材は、紙葉類載置台に設けられており、紙葉類載置台上を流れるエアーの流量であって、紙葉類載置台上の中央付近のエアーの流量が、紙葉類載置台上の中央付近以外のエアーの流量よりも多くなるような位置に設けられている。
【００２６】
これにより、この紙葉類収納容器では、紙葉類載置台上の中央付近にエアーを集中させることができ、その結果、紙葉類載置台に載置された紙葉類群の最上部の紙葉類の中央付近をより効率良く持ち上がった状態にすることができる。
【００２７】
第５の発明は、第１から第４のいずれかの発明であって、挟持部材は、側壁部の上端付近において、側壁部の内壁に沿った回転軸周りを回動自在に設置されているとともに、回動をロックするロック機構を備える。そして、挟持部材は、（１）ロック機構により回動がロックされている場合、紙葉類載置台に載置される紙葉類を、紙葉類載置台とともに挟持し、（２）ロック機構により回動がロックされていない場合、挟持部材を回動させて、外部から紙葉類を紙葉類収納容器の内部に挿入することを可能とする。
【００２８】
これにより、この紙葉類収納容器では、挟持部材が非ロック状態であるときは、外部から紙葉類を紙葉類収納容器の内部に挿入することが可能となるとともに、挟持部材がロック状態であるときは、紙葉類載置台に載置される紙葉類を、紙葉類載置台とともに確実に挟持することができる。
【発明の効果】
【００２９】
本発明によれば、簡単な機構により、紙葉類（例えば、セパレータカード）を１枚ずつ精度良く取り出すことができる紙葉類収納容器を実現することができる。
【図面の簡単な説明】
【００３０】
【図１】第１実施形態に係る紙葉類収納容器１００の外観を示す図（斜視図）。
【図２】第１実施形態に係る紙葉類収納容器１００の平面図（上図）および断面図（Ａ−Ａ線による断面図）（下図）。
【図３】第１実施形態に係る紙葉類収納容器１００の外観を示す図（斜視図）。
【図４】第１実施形態に係る紙葉類収納容器１００の斜視図であり、前方パネル部６の回転軸を示した図。
【図５】第１実施形態に係る紙葉類収納容器１００の斜視図であり、前方パネル部６の回転動作（開閉動作）を説明するための図。
【図６】第１実施形態に係る紙葉類収納容器１００の孔の位置関係を説明するための図。
【図７】第１実施形態に係る紙葉類収納容器１００の平面図（上図）および外観を示す図（斜視図）（下図）であり、紙葉類収納容器１００に流入するエアーの流路を模式的に示した図。
【図８】第１実施形態に係る紙葉類収納容器１００の外観を示す図（斜視図）であり、紙葉類の紙葉類載置台３への載置について説明するための図。
【図９】第１実施形態に係る紙葉類収納容器１００の図２のＡ−Ａ線による断面図であり、紙葉類の紙葉類載置台３への載置について説明するための図。
【図１０】第１実施形態に係る紙葉類収納容器１００の平面図であり、エアー流路規制について説明するための図。
【図１１】第１実施形態に係る紙葉類収納容器１００の平面図および図２のＡ−Ａ線による断面図の一部を拡大して示した図であり、第１フラップ部５ａおよび第２フラップ部５ｂの構成について説明するための図。
【図１２】第１実施形態に係る紙葉類収納容器１００の図２のＡ−Ａ線による断面図の一部を拡大して示した図であり、第１フラップ部５ａおよび第２フラップ部５ｂの構成について説明するための図。
【図１３】第１実施形態に係る紙葉類収納容器１００の一部を拡大した斜視図であり、第１フラップ部５ａおよび第２フラップ部５ｂの構成について説明するための図。
【図１４】第１実施形態に係る紙葉類収納容器１００の前方パネル部６の外観を示す図（斜視図）である。
【図１５】紙葉類収納容器１００の斜視図であり、紙葉類の束Ｇ＿ｓｅｐ＿ｃａｒｄｓを挿入するときの動作を説明するための図。
【図１６】紙葉類収納容器１００の図２のＡ−Ａ線による断面図の一部を拡大して示した図であり、紙葉類の束Ｇ＿ｓｅｐ＿ｃａｒｄｓを挿入するときの動作を説明するための図。
【図１７】紙葉類収納容器１００の図２のＡ−Ａ線による断面図の一部を拡大して示した図であり、紙葉類の束Ｇ＿ｓｅｐ＿ｃａｒｄｓを挿入するときの動作を説明するための図。
【図１８】紙葉類収納容器１００の平面図（上図）と、紙葉類収納容器１００の図２のＡ−Ａ線による断面図の一部を拡大して示した図であり、紙葉類取り出し処理を説明するための図。
【図１９】紙葉類収納容器１００の図２のＡ−Ａ線による断面図の一部を拡大して示した図であり、紙葉類挿入処理を説明するための図。
【図２０】紙葉類収納容器１００の図２のＡ−Ａ線による断面図の一部を拡大して示した図であり、紙葉類挿入処理を説明するための図。
【図２１】紙葉類収納容器１００の斜視図であり、エアーを紙葉類収納容器１００の内部に流入させるための管を安定して固定するための固定用部材Ｄｅｖ＿ｆｉｘＡ、Ｄｅｖ＿ｆｉｘＢを説明するための図。
【図２２】紙葉類収納容器１００Ａの外観を示す図（斜視図）。
【図２３】紙葉類収納容器１００および紙葉類収納容器１００Ａの配置の一例を示す図。
【図２４】紙幣束、セパレータカード、バッチ、バッチ群を説明するための図。
【発明を実施するための形態】
【００３１】
［第１実施形態］
第１実施形態について、図面を参照しながら、以下、説明する。
【００３２】
＜１．１：紙葉類収納容器の構成＞
図１は、第１実施形態に係る紙葉類収納容器１００の外観を示す図（斜視図）である。
【００３３】
図２は、第１実施形態に係る紙葉類収納容器１００の平面図（上図）および断面図（Ａ−Ａ線による断面図）（下図）である。
【００３４】
図３は、第１実施形態に係る紙葉類収納容器１００の外観を示す図（斜視図）である。
【００３５】
図４は、第１実施形態に係る紙葉類収納容器１００の斜視図であり、前方パネル部６の回転軸を示した図である。
【００３６】
図５は、第１実施形態に係る紙葉類収納容器１００の斜視図であり、前方パネル部６の回転動作（開閉動作）を説明するための図である。
【００３７】
図６は、第１実施形態に係る紙葉類収納容器１００の孔の位置関係を説明するための図であり、図２のＡ−Ａ線による断面図の一部を拡大して示した図である。
【００３８】
図７は、第１実施形態に係る紙葉類収納容器１００の平面図（上図）および外観を示す図（斜視図）（下図）であり、紙葉類収納容器１００に流入するエアーの流路を模式的に示した図である。
【００３９】
図８は、第１実施形態に係る紙葉類収納容器１００の外観を示す図（斜視図）であり、紙葉類の紙葉類載置台３への載置について説明するための図である。
【００４０】
図９は、第１実施形態に係る紙葉類収納容器１００の図２のＡ−Ａ線による断面図であり、紙葉類の紙葉類載置台３への載置について説明するための図である。
【００４１】
図１０は、第１実施形態に係る紙葉類収納容器１００の平面図であり、エアー流路規制について説明するための図である。
【００４２】
図１１は、第１実施形態に係る紙葉類収納容器１００の平面図および図２のＡ−Ａ線による断面図の一部を拡大して示した図であり、第１フラップ部５ａおよび第２フラップ部５ｂの構成について説明するための図である。
【００４３】
図１２は、第１実施形態に係る紙葉類収納容器１００の図２のＡ−Ａ線による断面図の一部を拡大して示した図であり、第１フラップ部５ａおよび第２フラップ部５ｂの構成について説明するための図である。
【００４４】
図１３は、第１実施形態に係る紙葉類収納容器１００の一部を拡大した斜視図であり、第１フラップ部５ａおよび第２フラップ部５ｂの構成について説明するための図である。
【００４５】
図１４は、第１実施形態に係る紙葉類収納容器１００の前方パネル部６の外観を示す図（斜視図）である。
【００４６】
なお、図１〜図１４に示したように、ｘ軸、ｙ軸、ｚ軸を設定するものとする。
【００４７】
紙葉類収納容器１００は、例えば、紙幣処理システムにおいて、複数のキャッシュボックスから回収された紙幣束をまとめて（積み重ねて）バッチ（紙幣束群）を作成するときに用いられる紙葉類（例えば、セパレータカード（例えば、図２４のセパレータカードＳｅｐ＿ｃａｒｄ１〜Ｓｅｐ＿ｃａｒｄＮ））を収容するための容器である。
【００４８】
紙葉類収納容器１００は、図１に示すように、底部１と、側壁部２と、紙葉類載置台３と、第１流路規制部４ａ（流路規制部材）と、第２流路規制部４ｂ（流路規制部材）と、第１フラップ部５ａ（挟持部材）と、第２フラップ部５ｂ（挟持部材）と、開閉自在に設置される前方パネル部６と、を備える。
【００４９】
また、紙葉類収納容器１００は、図２に示すように、底部１と紙葉類載置台３との間に配置される弾性部材Ｓｐｒ１とを備える。
【００５０】
底部１は、例えば、矩形の平板状部材であり、紙葉類収納容器１００を平坦な床や机上に設置することを可能にするとともに、側壁部２を支持するための部材である。また、底部１は、その上面で弾性部材Ｓｐｒ１を支持するための部材である。そして、底部１は、側壁部２、前方パネル部６（閉じた状態の前方パネル部６）とともに、紙葉類を紙葉類載置台３に載置した状態で収納する空間を確保する。
【００５１】
側壁部２は、例えば、矩形の平板状の部材により構成されている。側壁部２は、第１側壁部２ａ、第２側壁部２ｂ、および、第３側壁部２ｃを含む。側壁部２（第１側壁部２ａ、第２側壁部２ｂ、および、第３側壁部２ｃ）は、図１に示すように、底部１の周縁部において、鉛直方向（図１のｚ軸正方向）に延びるように設置される。これにより、側壁部２は、底部１および前方パネル部６（閉じた状態の前方パネル部６）とともに、紙葉類を紙葉類載置台３に載置した状態で収納する空間を確保する。なお、図４に示すように、第１側壁部２ａは、前方パネル部６を回動して開閉させるための回転軸ｒｏｔ＿ａｘ＿６を支持する回転軸支部２ａ１を有しており、第２側壁部２ｂは、前方パネル部６を回動して開閉させるための回転軸ｒｏｔ＿ａｘ＿６を支持する回転軸支持部２ｂ１を有している。これにより、図５に示すように、前方パネル部６を回転軸ｒｏｔ＿ａｘ＿６周りに回動自在に設置することができ、前方パネルを開閉自在に設置することができる。なお、前方パネル部６を閉じた状態にする場合、所定のロック機構により、前方パネル部６を閉じた状態を維持できるものとする。例えば、側壁部２および前方パネル部６の対応する位置にそれぞれ設けた磁石と金属板とを吸引させて前方パネルが側壁部２に当接している状態（金属板が磁石に吸引されている状態）を維持させることで前方パネル部６を閉じた状態にする。
【００５２】
また、側壁部２は、図１、図２、図３に示すように、上部付近において、紙葉類収納容器１００の外部から内部へのエアーを流入させるための孔が設けられている。具体的には、図１、図２、図３に示すように、第２側壁部２ｂは、その上部付近において、３つの孔Ｈｏｌｅ１（２ｂ）、Ｈｏｌｅ２（２ｂ）およびＨｏｌｅ３（２ｂ）を有しており、第３側壁部２ｃは、その上部付近において、１つの孔Ｈｏｌｅ１（２ｃ）を有している。
【００５３】
３つの孔Ｈｏｌｅ１（２ｂ）、Ｈｏｌｅ２（２ｂ）およびＨｏｌｅ３（２ｂ）は、図６に示すように、それぞれ、筒状の形状を有しており、その中心軸の高さ、すなわち、ｚ座標値ｚ＿ｃｅｎｔｅｒは、略同一であるように、第２側壁部２ｂに形成されている。そして、３つの孔Ｈｏｌｅ１（２ｂ）、Ｈｏｌｅ２（２ｂ）およびＨｏｌｅ３（２ｂ）は、図６に示すように、その中心軸の位置（ｚ座標値ｚ＿ｃｅｎｔｅｒ）が、紙葉類載置台３に紙葉類が載置されていない状態における紙葉類載置台３の上面の位置と略同一（略同じ高さ）となるように形成されている。
【００５４】
また、孔Ｈｏｌｅ１（２ｃ）は、筒状の形状を有しており、その中心軸の高さ（ｚ座標値ｚ＿ｃｅｎｔｅｒ）は、孔Ｈｏｌｅ１（２ｂ）、Ｈｏｌｅ２（２ｂ）およびＨｏｌｅ３（２ｂ）と略同一の高さ（略同一のｚ座標値）であり、中心軸に直交する断面は、孔Ｈｏｌｅ１（２ｂ）、Ｈｏｌｅ２（２ｂ）およびＨｏｌｅ３（２ｂ）の中心軸に直交する断面と略同形となるように、第３側壁部２ｃに形成されている。そして、孔Ｈｏｌｅ１（２ｃ）は、その中心軸の位置（ｚ座標値ｚ＿ｃｅｎｔｅｒ）が、紙葉類載置台３に紙葉類が載置されていない状態における紙葉類載置台３の上面の位置と略同一（略同じ高さ）となるように形成されている。
【００５５】
なお、紙葉類載置台３に紙葉類が載置されていない状態における第２流路規制部４ｂの上面の位置（ｚ座標値）と、第１流路規制部４ａの上面の位置（ｚ座標値）とは、略同一となるように、第１流路規制部４ａおよび第２流路規制部４ｂは、紙葉類載置台３に設置される。
【００５６】
また、例えば、図７に示すように、側壁部２の孔Ｈｏｌｅ１（２ｂ）、Ｈｏｌｅ２（２ｂ）、Ｈｏｌｅ３（２ｂ）、および、Ｈｏｌｅ１（２ｃ）には、エアー（例えば、空気流）を紙葉類収納容器１００の内部に流入させるための管（例えば、図７の管Ｐｉｐｅ１〜Ｐｉｐｅ４）が接続される。そして、当該管（例えば、図７の管Ｐｉｐｅ１〜Ｐｉｐｅ４）からのエアーが、側壁部２の孔Ｈｏｌｅ１（２ｂ）、Ｈｏｌｅ２（２ｂ）、Ｈｏｌｅ３（２ｂ）、および、Ｈｏｌｅ１（２ｃ）を介して、紙葉類収納容器１００の内部に流入される。なお、紙葉類収納容器１００の内部に流入させるための管（例えば、図７の管Ｐｉｐｅ１〜Ｐｉｐｅ４）は、例えば、図７に示すように、管Ｐｉｐｅ０を分配器Ｐｄｉｓｔ１により分岐し、分岐した管Ｐｉｐｅ１〜Ｐｉｐｅ４を、それぞれ、側壁部２の孔Ｈｏｌｅ１（２ｂ）、Ｈｏｌｅ２（２ｂ）、Ｈｏｌｅ３（２ｂ）、および、Ｈｏｌｅ１（２ｃ）に接続するようにしてもよい。そして、管Ｐｉｐｅ０がポンプ（不図示）に接続され、当該ポンプからエアーが管Ｐｉｐｅ０に供給されるようにすればよい。
【００５７】
また、第１側壁部２ａは、図１１に示すように、第１フラップ部５ａを回動可能に支持するための回転軸ｒｏｔ＿ａｘ＿５ａを支持するための回転軸支持部２ａ２、２ａ３を有している。
【００５８】
また、第２側壁部２ｂは、図１１に示すように、第１フラップ部５ａを回動可能に支持するための回転軸ｒｏｔ＿ａｘ＿５ａを支持するための回転軸支持部２ｂ２、２ｂ３を有している。
【００５９】
紙葉類載置台３は、例えば、図８、図９に示すように、紙葉類（例えば、セパレータカード）を平積み状態（紙葉類を広げた状態）で載置する台である。紙葉類載置台３は、紙葉類を平積み状態で載置できるように、その形状が載置する対象の紙葉類と略同形または略相似形であり、そのサイズが当該紙葉類と略同一または当該紙葉類よりも大きい。紙葉類載置台３は、底部１、側壁部２および前方パネル部６（閉じた状態の前方パネル部６）により確保される空間内に配置される。そして、紙葉類載置台３は、その下面が、図２の下図に示すように、一端が底部１に設置された弾性部材Ｓｐｒ１の他端に接続されている。紙葉類載置台３が弾性部材Ｓｐｒ１により上方（ｚ軸正方向）に付勢されることで、紙葉類載置台３は、紙葉類載置台３に載置された物体（例えば、紙葉類）を、第１フラップ部５ａおよび第２フラップ部５ｂとともに挟持することができる（例えば、図８、図９を参照）。
【００６０】
また、紙葉類載置台３には、図１０に示すように、紙葉類を載置する側の面上に、第１流路規制部４ａおよび第２流路規制部４ｂが設置されている。
【００６１】
第１流路規制部４ａは、図１〜図１０に示すように、細長い平板状の部材であり、紙葉類載置台３の上面に設置される。第１流路規制部４ａは、側壁部２の孔Ｈｏｌｅ１（２ｂ）、Ｈｏｌｅ２（２ｂ）、Ｈｏｌｅ３（２ｂ）、および、Ｈｏｌｅ１（２ｃ）により、外部から、紙葉類収納容器１００の内部に流入されるエアー（例えば、空気流）の流れの方向を規制するための部材である。
【００６２】
第２流路規制部４ｂは、図１〜図１０に示すように、細長い平板状の部材であり、紙葉類載置台３の上面に設置される。第２流路規制部４ｂは、側壁部２の孔Ｈｏｌｅ１（２ｂ）、Ｈｏｌｅ２（２ｂ）、Ｈｏｌｅ３（２ｂ）、および、Ｈｏｌｅ１（２ｃ）により、外部から、紙葉類収納容器１００の内部に流入されるエアー（例えば、空気流）の流れの方向を規制するための部材である。
【００６３】
なお、第１流路規制部４ａおよび第２流路規制部４ｂは、外部から紙葉類収納容器１００の内部にエアーを流入させるとき、紙葉類載置台３の上面の中央付近への流量が多くなるような位置に配置されることが好ましい。例えば、図１０に示すように、側壁部２の孔Ｈｏｌｅ１（２ｂ）、Ｈｏｌｅ２（２ｂ）、Ｈｏｌｅ３（２ｂ）、および、Ｈｏｌｅ１（２ｃ）が配置されている場合、第１流路規制部４ａの位置が、ｘ軸方向において、孔Ｈｏｌｅ１（２ｂ）の位置よりも前方パネル部６側となるように、第１流路規制部４ａが設置されることが好ましい。また、上記の場合、第２流路規制部４ｂの位置が、ｙ軸方向において、孔Ｈｏｌｅ１（２ｃ）の位置よりも第１側壁部２ａ側となるように、第２流路規制部４ｂが設置されることが好ましい。
【００６４】
このように、第１流路規制部４ａおよび第２流路規制部４ｂを配置することにより、紙葉類載置台３に載置されている紙葉類が残り１枚〜数枚になったときでも、紙葉類収納容器１００から紙葉類を１枚ずつ確実に取り出すことができる。紙葉類載置台３に載置されている紙葉類が残り１枚〜数枚になったとき、紙葉類収納容器１００の内部に流入されるエアーの流量が、第１流路規制部４ａおよび第２流路規制部４ｂにより、紙葉類載置台に載置されている残り１枚〜数枚の紙葉類の下面の中央付近で多くなる。このため、紙葉類載置台３に載置されている残り１枚〜数枚の紙葉類の中央付近が持ち上がった状態となる。
【００６５】
そして、この状態において、例えば、吸着装置により、当該紙葉類を吸着することで、紙葉類収納容器１００から１枚ずつ取り出すことが可能となる。
【００６６】
つまり、紙葉類収納容器１００において、上記のように第１流路規制部４ａおよび第２流路規制部４ｂを配置することで、紙葉類載置台３に載置されている紙葉類が残り１枚〜数枚になったときでも、１枚ずつ確実に紙葉類を取り出すことができる。
【００６７】
第１フラップ部５ａは、図１１に示すように、平面視において、略矩形の形状を有しており、第１側壁部２ａの上端部において、第１側壁部２ａの内壁に沿うように配置される。第１フラップ部５ａは、図１１、図１２に示すように、第１側壁部２ａの回転軸支持部２ａ２、２ａ３により支持される回転軸ｒｏｔ＿ａｘ＿５ａの周りを回動自在に設置される。第１フラップ部５ａまたは回転軸ｒｏｔ＿ａｘ＿５ａには、例えば、つるまきバネ（不図示）が設置されており、当該つるまきバネにより、図１２の回転方向ＤｉｒＡに力を加えると、当該力に反発する方向（回転方向ＤｉｒＡの反対方向）に弾性力を発生させる。これにより、第１フラップ部５ａは、回転方向ＤｉｒＡに力が加えられた後、当該力が解放されると、図１２の状態Ｂ１に戻る。なお、図１２に示すように、第１フラップ部５ａの面５ａ＿ｓ１が、第１側壁部２ａの面２ａ＿ｓ１に当接することで、第１フラップ部５ａの回動（つるまきバネによる弾性力による回動）が規制され、第１フラップ部５ａは、状態Ｂ１の状態で維持される。
【００６８】
また、第１フラップ部５ａは、図１３に示すように、前方パネル部６を閉じた状態で、第１フラップ部５ａが回動しないようにロックするためのロック用突出部５１ａを有している。
【００６９】
第２フラップ部５ｂは、図１１に示すように、平面視において、略矩形の形状を有しており、第２側壁部２ｂの上端部において、第２側壁部２ｂの内壁に沿うように配置される。第２フラップ部５ｂは、図１１、図１２に示すように、第２側壁部２ｂの回転軸支持部２ｂ２、２ｂ３により支持される回転軸ｒｏｔ＿ａｘ＿５ｂの周りを回動自在に設置される。第２フラップ部５ｂまたは回転軸ｒｏｔ＿ａｘ＿５ｂには、例えば、つるまきバネ（不図示）が設置されており、当該つるまきバネにより、図１２の回転方向ＤｉｒＢに力を加えると、当該力に反発する方向（回転方向ＤｉｒＢの反対方向）に弾性力を発生させる。これにより、第２フラップ部５ｂは、回転方向ＤｉｒＢに力が加えられた後、当該力が解放されると、図１２の状態Ｂ１に戻る。なお、図１２に示すように、第２フラップ部５ｂの面５ｂ＿ｓ１が、第２側壁部２ｂの面２ｂ＿ｓ１に当接することで、第２フラップ部５ｂの回動（つるまきバネによる弾性力による回動）が規制され、第２フラップ部５ｂは、状態Ｂ１の状態で維持される。
【００７０】
また、第２フラップ部５ｂは、図１３に示すように、前方パネル部６を閉じた状態で、第２フラップ部５ｂが回動しないようにロックするためのロック用突出部５１ｂを有している。
【００７１】
前方パネル部６は、図１４に示すように、回転軸を貫通した状態で設置するための回転軸保持部６２と、前方パネル部６を閉じた状態において、第１フラップ部５ａが回動しないようにロックするためのロック用凹部６１ａと、前方パネル部６を閉じた状態において、第２フラップ部５ｂが回動しないようにロックするためのロック用凹部６１ｂと、を備える。
【００７２】
ロック用凹部６１ａは、前方パネル部６を閉じた状態において、第１フラップ部５ａのロック用突出部５１ａが収容される位置に設けられている。
【００７３】
ロック用凹部６１ｂは、前方パネル部６を閉じた状態において、第２フラップ部５ｂのロック用突出部５１ｂが収容される位置に設けられている。
【００７４】
弾性部材Ｓｐｒ１は、底部１の上面と、紙葉類載置台３の下面との間に配置され、紙葉類載置台３を上方（ｚ軸正方向）へ付勢するための部材である。弾性部材Ｓｐｒ１は、例えば、バネにより実現される。なお、弾性部材Ｓｐｒ１は、弾性力を発生させるものであれば、バネ以外のものであってもよい。
【００７５】
＜１．２：紙葉類収納容器を用いた処理（動作）＞
上記のように構成された紙葉類収納容器１００を用いた処理（動作）について、図面を参照しながら説明する。
【００７６】
図１５は、紙葉類収納容器１００の斜視図であり、紙葉類の束Ｇ＿ｓｅｐ＿ｃａｒｄｓを挿入するときの動作を説明するための図である。
【００７７】
図１６、図１７は、紙葉類収納容器１００の図２のＡ−Ａ線による断面図の一部を拡大して示した図であり、紙葉類の束Ｇ＿ｓｅｐ＿ｃａｒｄｓを挿入するときの動作を説明するための図である。
【００７８】
図１８は、紙葉類収納容器１００の平面図（上図）と、紙葉類収納容器１００の図２のＡ−Ａ線による断面図の一部を拡大して示した図であり、紙葉類取り出し処理を説明するための図である。
【００７９】
図１９、図２０は、紙葉類収納容器１００の図２のＡ−Ａ線による断面図の一部を拡大して示した図であり、紙葉類取り出し処理を説明するための図である。
【００８０】
（１．２．１：ロック解除処理）
まず、紙葉類収納容器１００において、前方パネル部６を、例えば、図５に示した矢印と反対方向に回転させ、前方パネル部６を開いた状態とする。この状態において、第１フラップ部５ａのロック用突出部５１ａおよび第２フラップ部５ｂのロック用突出部５１ｂは、開放された状態であり、その結果、第１フラップ部５ａおよび第２フラップ部５ｂが、それぞれ、回転軸ｒｏｔ＿ａｘ＿５ａおよびｒｏｔ＿ａｘ＿５ｂ周りに回動できる状態（非ロック状態）である。
【００８１】
（１．２．２：紙葉類挿入処理）
次に、紙葉類を紙葉類収納容器１００に挿入し、紙葉類収納容器１００に格納する。具体的には、図１５に示すように、前方パネル部６を開けて第１フラップ部５ａおよび第２フラップ部５ｂが回動できる状態で、紙葉類の束（紙葉類群Ｇ＿ｓｅｐ＿ｃａｒｄｓ）を、上方から、第１フラップ部５ａおよび第２フラップ部５ｂに押し当てて、第１フラップ部５ａおよび第２フラップ部５ｂを下方向に回動させ、紙葉類の束（紙葉類群Ｇ＿ｓｅｐ＿ｃａｒｄｓ）を紙葉類載置台３に載置する。この様子を図１６、図１７に示す。
【００８２】
図１６に示すように、非ロック状態の紙葉類収納容器１００の上方から紙葉類群Ｇ＿ｓｅｐ＿ｃａｒｄｓを下方へ降下させると（図１６の状態Ｃ１）、最下部にある紙葉類の端部が第１フラップ部５ａおよび第２フラップ部５ｂと当接し、下方向に加えられる力により、第１フラップ部５ａおよび第２フラップ部５ｂが、それぞれ、図１６の回転方向ＤｉｒＡおよびＤｉｒＢの方向へ回転軸ｒｏｔ＿ａｘ＿５ａおよびｒｏｔ＿ａｘ＿５ｂ周りに回転する（図１６の状態Ｃ２）。さらに、紙葉類群Ｇ＿ｓｅｐ＿ｃａｒｄｓを下降させることで、紙葉類群Ｇ＿ｓｅｐ＿ｃａｒｄｓを紙葉類載置台３に載置させることができる（図１６の状態Ｃ３）。なお、紙葉類群Ｇ＿ｓｅｐ＿ｃａｒｄｓの最終部の紙葉類の下面が略同一の高さ（略同一のｚ座標値）を有する第１流路規制部４ａおよび第２流路規制部４ｂの上面と当接する状態となり、紙葉類群Ｇ＿ｓｅｐ＿ｃａｒｄｓが紙葉類載置台３の上面と略平行な状態で載置される。
【００８３】
第１フラップ部５ａおよび第２フラップ部５ｂは、紙葉類群Ｇ＿ｓｅｐ＿ｃａｒｄｓの最終下面から加えられていた力が解放されると、第１フラップ部５ａおよび第２フラップ部５ｂに設置されているつるまきバネの弾性力により、第１フラップ部５ａおよび第２フラップ部５ｂは、図１７に示す方向ＤｉｒＡ’、ＤｉｒＢ’に回転する（図１７の状態Ｃ４）。
【００８４】
そして、紙葉類群Ｇ＿ｓｅｐ＿ｃａｒｄｓの最上部の紙葉類の上面が、第１フラップ部５ａの下面および第２フラップ部５ｂの下面と当接し、かつ、紙葉類群Ｇ＿ｓｅｐ＿ｃａｒｄｓの最下部の紙葉類の下面が、弾性部材Ｓｐｒ１により、紙葉類載置台３および第１流路規制部４ａ、第２流路規制部４ｂを介して、上方に付勢される。これにより、紙葉類群Ｇ＿ｓｅｐ＿ｃａｒｄｓが、第１フラップ部５ａの下面および第２フラップ部５ｂと、紙葉類載置台３との間で挟持された状態が保たれる（図１７の状態Ｃ５）。
【００８５】
（１．２．３：ロック処理）
次に、紙葉類収納容器１００において、図１７の状態Ｃ５の状態で、前方パネル部６を、例えば、図５に示した矢印に回転させ、前方パネル部６を閉じた状態とする。これにより、第１フラップ部５ａのロック用突出部５１ａおよび第２フラップ部５ｂのロック用突出部５１ｂが、それぞれ、前方パネル部６のロック用凹部６１ａ、６１ｂに収容された状態となり、その結果、第１フラップ部５ａおよび第２フラップ部５ｂが、それぞれ、回転軸ｒｏｔ＿ａｘ＿５ａおよびｒｏｔ＿ａｘ＿５ｂ周りに回動できない状態（ロック状態）となる。このロック状態を検知センサ（不図示）で検知することも可能である。この場合、前方パネル部６の側に検知センサを付けることも可能である。これにより、前方パネル部６の閉め忘れを防止することができる。
（１．２．４：紙葉類取り出し処理）
紙葉類収納容器１００を上記のようにロック状態とした後、例えば、外部のポンプから、管Ｐｉｐｅ１〜Ｐｉｐｅ４、並びに、紙葉類収納容器１００の第２側壁部２ｂの孔Ｈｏｌｅ１（２ｂ）、Ｈｏｌｅ２（２ｂ）、Ｈｏｌｅ３（２ｂ）、および、第３側壁部２ｃの孔Ｈｏｌｅ１（２ｃ）を介して、紙葉類収納容器１００の内部へのエアー（例えば、空気流）を流入させる（図１８、図１９の状態Ｄ１）。
【００８６】
第１流路規制部４ａおよび第２流路規制部４ｂは、図１０に示すように、外部から紙葉類収納容器１００の内部にエアーを流入させるとき、紙葉類載置台３の上面の中央付近への流量が多くなるように配置されている。
【００８７】
さらに、側壁部２に形成されている孔Ｈｏｌｅ１（２ｂ）、Ｈｏｌｅ２（２ｂ）、Ｈｏｌｅ３（２ｂ）、および、Ｈｏｌｅ１（２ｃ）は、その中心軸の高さ（ｚ座標値ｚ＿ｃｅｎｔｅｒ）が、略同一であり、紙葉類載置台３に紙葉類が載置されていない状態における紙葉類載置台３の上面の位置と略同一（略同じ高さ）となるように形成されている。
【００８８】
したがって、紙葉類収納容器１００に、外部から、紙葉類収納容器１００の第２側壁部２ｂの孔Ｈｏｌｅ１（２ｂ）、Ｈｏｌｅ２（２ｂ）、Ｈｏｌｅ３（２ｂ）、および、第３側壁部２ｃの孔Ｈｏｌｅ１（２ｃ）を介して、紙葉類収納容器１００の内部へのエアー（例えば、空気流）を流入させると、紙葉類載置台３の最上部の紙葉類の上面の中央付近が持ち上がる。
【００８９】
そして、例えば、吸着機構を有するロボットアーム等により、上面の中央付近が持ち上がっている状態の紙葉類を吸着し、吸着した状態で紙葉類を上方に持ち上げることで、紙葉類収納容器１００から、最上部の紙葉類を容易に取り出すことができる。
【００９０】
これについて、図１８〜図２０を用いて説明する。
【００９１】
紙葉類収納容器１００に、外部から、紙葉類収納容器１００の第２側壁部２ｂの孔Ｈｏｌｅ１（２ｂ）、Ｈｏｌｅ２（２ｂ）、Ｈｏｌｅ３（２ｂ）、および、第３側壁部２ｃの孔Ｈｏｌｅ１（２ｃ）を介して、紙葉類収納容器１００の内部へのエアー（例えば、空気流）を流入させると、孔Ｈｏｌｅ１（２ｂ）、Ｈｏｌｅ２（２ｂ）、Ｈｏｌｅ３（２ｂ）、および、Ｈｏｌｅ１（２ｃ）の中心軸の高さ（ｚ座標値）が、紙葉類載置台３に載置された紙葉類群Ｇ＿ｓｅｐ＿ｃａｒｄｓの最上部の紙葉類の位置（ｚ座標値）と略同一であるため、紙葉類群Ｇ＿ｓｅｐ＿ｃａｒｄｓの最上部の紙葉類に横から（水平方向から）エアーを吹き付けることになる。紙葉類載置台３に載置されている紙葉類群Ｇ＿ｓｅｐ＿ｃａｒｄｓは、図１９に示すように、第１フラップ部５ａおよび第２フラップ部５ｂと、紙葉類載置台３との間で挟持されているので、紙葉類載置台３に載置された紙葉類群Ｇ＿ｓｅｐ＿ｃａｒｄｓの最上部の紙葉類に横（水平方向）からエアーを吹き付けると、最上部の紙葉類の下面に入り込んだエアーが中央付近に集中し、最上部の紙葉類の上面が上方に持ち上がったような状態となる（図１９の状態Ｄ２）。
【００９２】
そして、この状態で、例えば、吸着機構を有するロボットアーム等により、上面の中央付近が持ち上がっている状態の紙葉類を吸着し、吸着した状態で紙葉類を上方に持ち上げることで、紙葉類収納容器１００から、最上部の紙葉類を容易に取り出すことができる（図１９の状態Ｄ３）。そして、上記のようにエアーを紙葉類収納容器１００に流入させることで、最上部にある紙葉類の中央部分が持ち上がる状態となるので、上記のように処理することで、紙葉類を１枚ずつ確実に取り出すことが可能となる。
【００９３】
そして、紙葉類載置台３の最上部の紙葉類が取り出された後、最上部の次の紙葉類が最上部となり、かつ、当該紙葉類の位置（ｚ座標値（高さ））が、孔Ｈｏｌｅ１（２ｂ）、Ｈｏｌｅ２（２ｂ）、Ｈｏｌｅ３（２ｂ）、および、Ｈｏｌｅ１（２ｃ）の中心軸の高さ（ｚ座標値）と略同一となる状態（状態Ｄ１の状態）となる。そして、上記と同様の処理を行うことで、最上部の次の紙葉類も確実に取り出すことができる。この操作を繰り返すことで、紙葉類載置台３に載置された紙葉類を１枚ずつ確実取り出すことができる。
【００９４】
そして、図２０に示すように、紙葉類載置台３に載置されている紙葉類が最後の１枚となったとき、紙葉類収納容器１００の内部に流入されるエアーは、その流量が第１流路規制部４ａおよび第２流路規制部４ｂにより、最後の紙葉類の下面の中央付近で多くなる。このため、最後の１枚の紙葉類もその中央付近が持ち上がった状態となる（状態Ｄ５）。
【００９５】
そして、この状態で、上記と同様に、例えば、吸着機構を有するロボットアーム等により、上面の中央付近が持ち上がっている状態の最後の紙葉類を吸着し、吸着した状態で当該紙葉類を上方に持ち上げることで、紙葉類収納容器１００から、最後の１枚の紙葉類も確実に取り出すことができる。
【００９６】
以上のように、紙葉類収納容器１００では、紙葉類載置台３に載置された紙葉類群の最上部の紙葉類の位置（高さ）が、エアーを流入させる孔と略同一の位置（高さ）となるように、紙葉類載置台３を弾性部材Ｓｐｒ１により上方に付勢しつつ、紙葉類載置台３と、回動をロックされた第１フラップ部５ａおよび第２フラップ部５ｂとにより、紙葉類群を挟持する。そして、この状態で、紙葉類収納容器１００では、エアーを横（水平方向）から、紙葉類載置台３に載置された紙葉類群の最上部の紙葉類に吹き付けることで、最上部の紙葉類を、その中央付近が持ち上がった状態とすることができる。そして、この状態で、最上部の紙葉類の中央付近を吸着して、当該紙葉類を上方に持ち上げることで、容易かつ確実に、最上部の紙葉類を紙葉類収納容器１００から取り出すことができる。
【００９７】
つまり、紙葉類収納容器１００では、簡単な機構により、紙葉類（例えば、セパレータカード）を１枚ずつ精度良く取り出すことができる。
【００９８】
紙葉類収納容器１００は、上記の通り、簡単な機構により、紙葉類（例えば、セパレータカード）を１枚ずつ精度良く取り出すことができるため、例えば、紙幣処理システムにおいて、複数のセパレータカードを収納した容器から、１枚ずつセパレータを取り出し、取り出したセパレータカードをキャッシュボックスから回収した紙幣束に挿入する場合に用いることができる。なお、紙葉類収納容器１００の用途は、上記に限定されることはなく、１枚ずつ紙葉類を確実取り出す要請のある用途に用いることができる。
【００９９】
［他の実施形態］
上記実施形態では、紙葉類収納容器１００の側壁部２に４つの孔が設けられている場合について説明したが、これに限定されず、紙葉類収納容器１００の側壁部２に設ける孔（エアーの流入口）の数は、他の数であってもよい（１つであってもよい）。例えば、紙葉類収納容器１００において、第１側壁部２ａ、第２側壁部２ｂ、第３側壁部２ｃ、および、前方パネル部６（平面視で４辺に相当）のうちの少なくとも２つに、１つ以上の孔が設けられていてもよい（平面視で４辺の内の少なくとも２辺に相当する部材に１つ以上の孔が設けられていてもよい）。
【０１００】
また、側壁部２の孔の形状は、他の形状（例えば、中心軸に直交する断面が円以外の形状（例えば、矩形、楕円形））であってもよい。
【０１０１】
また、上記実施形態では、側壁部２の孔の設置の位置（高さ（ｚ座標値））は、紙葉類載置台３の最上部の紙葉類に横からエアーを吹き付けることができる高さ（紙葉類載置台３の最上部の紙葉類と略同一の高さ）である場合について、説明したが、これに限定されることはなく、側壁部２の孔の設置の位置（高さ（ｚ座標値））が紙葉類載置台３の最上部の紙葉類よりも低い位置（例えば、孔の中心軸の位置が紙葉類載置台３の最上部の紙葉類よりも低い位置）となるように、側壁部２に孔が設けられてもよい。
【０１０２】
また、図２１に示すように、紙葉類収納容器１００において、エアー（例えば、空気流）を紙葉類収納容器１００の内部に流入させるための管（例えば、図２１の管Ｐｉｐｅ１〜Ｐｉｐｅ４）を安定して固定するための固定用部材Ｄｅｖ＿ｆｉｘＡ、Ｄｅｖ＿ｆｉｘＢを設置するようにしてもよい。
【０１０３】
固定用部材Ｄｅｖ＿ｆｉｘＡ（２ｂ）は、図２１に示すように、第２側壁部２ｂに設置されており、管Ｐｉｐｅ１〜Ｐｉｐｅ３の先端を、第２側壁部２ｂに設けられた孔にガイドするとともに、管Ｐｉｐｅ１〜Ｐｉｐｅ３を束ねるための固定用部材Ｄｅｖ＿ｆｉｘＢ（２ｂ）と接続されている。
【０１０４】
固定用部材Ｄｅｖ＿ｆｉｘＢ（２ｂ）は、管Ｐｉｐｅ１〜Ｐｉｐｅ３を束ねるための部材であり、固定部部材Ｄｅｖ＿ｆｉｘＡ（２ｂ）に接続される。
【０１０５】
固定用部材Ｄｅｖ＿ｆｉｘＡ（２ｃ）は、図２１に示すように、第３側壁部２ｃに設置されており、管Ｐｉｐｅ４の先端を、第３側壁部２ｃに設けられた孔にガイドするとともに、管Ｐｉｐｅ４を固定するための固定用部材Ｄｅｖ＿ｆｉｘＢ（２ｃ）と接続されている。
【０１０６】
固定用部材Ｄｅｖ＿ｆｉｘＢ（２ｃ）は、管Ｐｉｐｅ４を固定するための部材であり、固定部部材Ｄｅｖ＿ｆｉｘＡ（２ｃ）に接続される。
【０１０７】
紙葉類収納容器１００に、このような固定用部材Ｄｅｖ＿ｆｉｘＡ（２ｂ）、Ｄｅｖ＿ｆｉｘＢ（２ｂ）、Ｄｅｖ＿ｆｉｘＡ（２ｃ）、Ｄｅｖ＿ｆｉｘＢ（２ｃ）を設置することで、エアー（例えば、空気流）を紙葉類収納容器１００の内部に流入させるための管を安定して配置させることができる。
【０１０８】
また、上記実施形態では、紙葉類収納容器１００において、図２１に示すように、孔、第１流路規制部４ａ（流路規制部材）と、第２流路規制部４ｂ（流路規制部材）が配置されている場合について説明したが、これに限定されることはなく、紙葉類収納容器１００において、孔、第１流路規制部４ａ（流路規制部材）と、第２流路規制部４ｂ（流路規制部材）の配置を他の配置としてもよい。
【０１０９】
図２２に、孔、流路規制部材の配置を変更した紙葉類収納容器１００Ａの外観を示す。図２２に示すように、第２側壁部２ａに３つの孔を設け、第３側壁部に１つの孔を配置し、さらに、図２２に示すように、第１流路規制部４ａ’、第２流路規制部４ｂ’を配置してもよい。
【０１１０】
また、孔、流路規制部材の配置が互いに異なる、紙葉類収納容器１００と、紙葉類収納容器１００Ａとを、例えば、図２３に示すように配置し、紙葉類収納容器１００と、紙葉類収納容器１００Ａとから紙葉類を取り出すシステムを構築してよい。なお、図２３では、台ＴＢ１に、紙葉類収納容器１００と、紙葉類収納容器１００Ａと、廃棄用容器Ｂｘ＿ｒｅｊｅｃｔとを示している。廃棄用容器Ｂｘ＿ｒｅｊｅｃｔは、紙葉類収納容器１００、および／または、紙葉類収納容器１００Ａに収納されている紙葉類が、例えば、不正規な使用類（例えば、不正規なセパレータカード）である場合、紙葉類収納容器１００、および／または、紙葉類収納容器１００Ａから取り出した紙葉類を投入し廃棄するための紙葉類をためる容器である。
【０１１１】
また、上記実施形態において、「略同一」、「略平行」等の表現があるが、これらは、目標値（あるいは設計値）として「同一」に、あるいは「平行」となるように制御等を行ったときに生じる誤差や設計誤差、あるいは、分解能によって決まる誤差等を含むものであり、当業者が「同一」である、あるいは、「平行」と判断（認識）する範囲を含む概念である。
【０１１２】
また、上記実施形態において、構成部材のうち、上記実施形態に必要な主要部材のみを簡略化して示している。したがって、上記実施形態において明示されなかった任意の構成部材を備えうる。また、上記実施形態および図面において、各部材の寸法は、必ずしも実際の寸法および寸法比率等を忠実に表しているわけではない。したがって、本発明の趣旨を逸脱しない範囲で寸法や寸法比率等の変更は可能である。
【０１１３】
なお、本発明の具体的な構成は、前述の実施形態に限られるものではなく、発明の要旨を逸脱しない範囲で種々の変更および修正が可能である。
【符号の説明】
【０１１４】
１００  紙葉類収納容器
１  底部
２  側壁部
３  紙葉類載置台
４ａ  第１流路規制部（流路規制部材）
４ｂ  第２流路規制部（流路規制部材）
５１ａ、５１ｂ  ロック用突出部（ロック機構）
６１ａ、６１ｂ  ロック用凹部（ロック機構）
Ｓｐｒ１  弾性部材
【要約】
【課題】簡単な機構により、紙葉類を１枚ずつ精度良く取り出すことができる紙葉類収納容器を実現する。
【解決手段】紙葉類載置台３に載置された紙葉類群の最上部の紙葉類の位置が、エアーを流入させる孔と略同一の位置となるように、紙葉類載置台を弾性部材により上方に付勢しつつ、紙葉類載置台３と挟持部材５ａ、５ｂとにより、紙葉類群を挟持する。そして、この状態において、紙葉類収納容器１００では、エアーを横から、紙葉類載置台３に載置された紙葉類群の最上部の紙葉類に吹き付けることで、最上部の紙葉類を、その中央付近が持ち上がった状態とすることができる。
【選択図】図１【図１】
0006945045.tif 000002
【図２】
0006945045.tif 000003
【図３】
0006945045.tif 000004
【図４】
0006945045.tif 000005
【図５】
0006945045.tif 000006
【図６】
0006945045.tif 000007
【図７】
0006945045.tif 000008
【図８】
0006945045.tif 000009
【図９】
0006945045.tif 000010
【図１０】
0006945045.tif 000011
【図１１】
0006945045.tif 000012
【図１２】
0006945045.tif 000013
【図１３】
0006945045.tif 000014
【図１４】
0006945045.tif 000015
【図１５】
0006945045.tif 000016
【図１６】
0006945045.tif 000017
【図１７】
0006945045.tif 000018
【図１８】
0006945045.tif 000019
【図１９】
0006945045.tif 000020
【図２０】
0006945045.tif 000021
【図２１】
0006945045.tif 000022
【図２２】
0006945045.tif 000023
【図２３】
0006945045.tif 000024
【図２４】
0006945045.tif 000025